(57)【要約】【課題】容易な構成で仰角、俯角を検出でる角度測定器得る。【解決手段】ヘルメット１ａの鍔に、角度測定器７を設ける。この角度測定器７は、回動自在な垂直指示バー９（透明アクリル板）と、透明角度検知板８と、水平板１０等からなり、透明角度検知板８の上面は支持部材１２、１３によって挟持され、この支持部材１２、１３の上面１２ａ、１３ｂが水平板１０に固着する。透明角度検知板８は、中央部に水平線の０度のラインがあり、これから所定間隔で上側に黄色部８ａ、ピンク色部８ｂ、緑色部８ｃを形成し、下方は青色８ｄ、紫色部８ｅ、黄緑部８ｆを形成し、それぞれに視野方向の角度を割りあてる。【選択図】図１
2010181337.tif 000002
【特許請求の範囲】
【請求項１】
装着者のいずれか片方の目側の帽子の鍔に設けられ、目的物に対しての仰角、俯角を計測する角度測定器であって、
前記いずれか側の鍔に取り付けられる平板部材と、
前記平板部材に対して、常に鉛直方向を示すように取り付けられた透明の垂直指示バーと、
中央に水平線が設けられ、この水平線を基準にして前記装着者の目線が上下に動くときのそれぞれの目線角度を示す所定幅の領域が順次形成されて、これらの領域が前記それぞれの目線角度に応じた透明な区別色にされて前記平板部材に鉛直方向に固定された透明角度検知板と
を有することを特徴とする角度測定器。
【請求項２】
前記平板部材は、
上面にマジックテープ（登録商標）又は磁石が貼り付けられている、若しくは両端に前記帽子の鍔に固着させるためのネジ穴を有していることを特徴とする請求項１記載の角度測定器。
【請求項３】
前記平板部材は、
ゴム状の平板と、
前記垂直指示バー及び前記透明角度検知板を下面に取り付けたアクリルの平板と、
この両方の平板の両端の間に設けられ、前記アクリル平板の水平角度を調整する角度調整具と
から構成されていることを特徴とする請求項１又は２記載の角度測定器。
【請求項４】
前記平板部材は、
前記帽子の鍔と帽子前部の形状に合わせたＬ型形状にされ、先端部に前記垂直指示バーを常に鉛直方向を向くように取り付け可能とすると共に、前記透明角度検知板を前記鉛直方向に固定可能に取り付けたＬ型ブラケットであることを特徴とする請求項１記載の角度測定器。
【請求項５】
前記平板部材は、
前記垂直支持バーの上端の両端を回動自在に挟持し、かつ前記透明角度検知板を該垂直指示バーの横に平行に並設させるために当該透明角度検知板の両端を挟持すると一方、前記透明角度検知板を前記鉛直方向に固定可能で、前記平板に上面が固定された支持部材群を含むことを特徴とする請求項１乃至４のいずれかに記載の角度測定器。
【請求項６】
前記支持部材群は、
第１支持部材（１６）、第２支持部材（１９）、第３支持部材（２０）からなり、
第１支持部材（１６）と第２支持部材（１９）とで前記垂直指示バー（９）を挟持し、第２支持部材（１９）と第３支持部材（２０）とで前記透明角度検知板（８）を挟持し、
前記第３支持部材（２０）のみが、鉛直方向に前記透明角度検知板（８）を固定するための第１凹部（２０ｄ）を有していることを特徴とする請求項５記載の角度測定器。
【請求項７】
前記第２支持部材（１９）および第３支持部材（２０）は、前記透明角度検知板（８）が上方向に回動されたときに該透明角度検知板（８）を固定可能とするための第２凹部（１９ｂ、２０ｂ）をそれぞれ備えることを特徴とする請求項６記載の角度測定器。
【請求項８】
前記第１、２支持部材（１６、１９）は貫通孔（１６ｂ、１９ｄ）を備え、この貫通孔（１６ｂ、１９ｄ）に前記垂直指示バー（９）の上部の両側に設けられている第１突起棒（９０ａ、９０ｂ）を入れて回動自在にすることを特徴とする請求項６記載の角度測定器。
【請求項９】
前記垂直指示バーは、
前記透明角度検知板（８）側の第１突起棒（９０ｂ）の下部に凹状の欠け部（９０ｃ）を設けて、この欠け部（９０ｃ）に第２突起棒（９０ｄ）を設けており、該垂直指示バー（９）を上方向に回転させたときに第２支持部材（１９）の第２凹部（１９ｂ）に前記第２突起棒（９０ｄ）にはめ込みさせることを特徴とする請求項５記載の角度測定器。
【請求項１０】
前記第３支持部材（２０）は、
前記第２凹部（２０ｂ）及び貫通孔（２０ｄ）並びに前記第１凹部（２０ｄ）を備え、前記第２支持部材（１９）の貫通孔（１９ｄ）と前記貫通孔（２０ｄ）に、前記透明角度検知板（８）の上部の両側に設けられている第２突起棒（８０ａ、８０ｂ）を通して回動可能にすることを特徴とする請求項６記載の角度測定器。
【請求項１１】
前記透明角度検知板（８）は、
前記第２突起棒（８０ｂ）の下部に第４突起棒（８０ｃ）を備え、当該透明角度検知板（８）を動かしてこの突起棒（８０ｃ）を前記第３支持部材（２０）の第１凹部（２０ｄ）にはめ込んで鉛直方向に固定し、
また、当該透明角度検知板（８）を上方向に回転させて前記第２突起棒（８０ｂ）を前記第３支持部材（２０）の第２凹部（２０ｂ）にはめ込んで固定する
ことを特徴とする請求項５記載の角度測定器。
【請求項１２】
前記第２支持部材（１９）の第２凹部（１９ｂ）、第３支持部材（２０）の第２凹部２０ｂ、第１凹部（２０ｄ）、垂直指示バー（９）の第２突起棒（９０ｄ）、透明角度検知板（８）の第４突起棒（８０ｃ）は、磁石が施されていることを特徴とする請求項１乃至１１のいずれかに記載の角度測定器。
【請求項１３】
前記帽子は、ヘルメット又はゴルフキャップであることを特徴とする請求項１乃至１２のいずれかに記載の角度測定器。
【発明の詳細な説明】
【技術分野】
【０００１】
本発明は、帽子等に取り付けて目標物に対しての仰角、俯角を測定できる角度測定器に関する。
【背景技術】
【０００２】
近年はヘルメットにデジタルカメラを取り付けたものがある。このようなヘルメットを撮影者が頭に取り付けて対象物を撮影すると、両手がふさがれることがないから安全である（特許文献１）。また、デジタルカメラにＧＰＳ機能を有しているものもある。
【０００３】
デジタルカメラにＧＰＳを取り付けて対象物を撮影すると、写真から撮影位置が分ることになる。
【０００４】
さらに、特許文献２は、ヘルメットの動きを検出することによってヘルメットを装着している操縦者が見ている方向の映像を知るようにするものである。
【先行技術文献】
【特許文献】
【０００５】
【特許文献１】特開２０００−３０１７５号公報
【特許文献２】特開昭６３−２４７１９８号公報
【発明の概要】
【発明が解決しようとする課題】
【０００６】
しかしながら、撮影位置と対象物の画像とが取得されたとしても、対象物をどのような角度（仰角、俯角）で撮影したかは容易に分らない。
【０００７】
仰角、俯角が分り、距離が分ると対象物の高さが分る。また、高さが分り仰角又は俯角が分ると距離がわかる。
【０００８】
一方、特許文献２は、ヘルメットの動き角度を検出するものであるが、画像から検出するので角度の検出は非常に困難である。
【０００９】
本発明は以上の課題を鑑みてなされたものであり、容易な構成で仰角、俯角を検出でる角度測定器得ることを目的とする。
【課題を解決するための手段】
【００１０】
本発明は、装着者のいずれか片方の目側の帽子の鍔に設けられ、目的物に対しての仰角、俯角を計測する角度測定器であって、前記いずれか側の鍔に取り付けられる平板部材と、前記平板部材に対して、常に鉛直方向を示すように取り付けられた透明の垂直指示バーと、中央に水平線が設けられ、この水平線を基準にして前記装着者の目線が上下に動くときのそれぞれの目線角度を示す所定幅の領域が順次形成されて、これらの領域が前記それぞれの目線角度に応じた透明な区別色にされて前記平板部材に鉛直方向に固定された透明角度検知板とを備えたことを要旨とする。
【発明の効果】
【００１１】
以上のように本発明によれば、帽子の鍔に取り付けて、対象物を見るだけで自分の位置から目的物の仰角、俯角を直ぐに検知できる。このため、直ぐに目的物の高さ又は距離を知ることができる。
【００１２】
また、透明角度板を通して対象物の仰角、俯角を検知できるので、測定の仕方に熟練していなくてもよい。
【００１３】
さらに、小型軽量であるから、持ち運び容易である。
【図面の簡単な説明】
【００１４】
【図１】角度付き映像取得装置の概略構成図である。
【図２】コントローラの仰角、俯角の角度決定選択画面を説明する説明図である。
【図３】角度測定器７の斜視図である。
【図４】角度測定器の詳細説明図である。
【図５】角度測定器７の分解図である。
【図６】角度測定器の支持部材の詳細図である。
【図７】角度測定器が上に固定されることを説明する説明図である。
【図８】角度測定器の使用方法を説明する説明図である。
【図９】角度測定器の使用方法を説明する説明図である。
【図１０】角度測定器の使用方法を説明する説明図である。
【図１１】角度測定器の使用方法を説明する説明図である。
【図１２】角度測定器によって測定された角度（仰角、俯角）を画像に付加することを説明する説明図である。
【図１３】実施の形態３の角度測定器の斜視図である。
【図１４】実施の形態４の角度測定器の斜視図である。
【発明を実施するための形態】
【００１５】
＜実施の形態１＞
図１は角度付き映像取得装置の概略構成図である。角度付き映像取得装置は、ヘルメット１ａに装着され、デジタルカメラ３、コントローラ５、角度測定器７等から構成されている。角度測定器７は、垂直指示バー９と角度目盛り付き透明板８（以下透明角度検知板という）等からなる。また、ヘルメット１ａのつばにはマジックテープ（登録商標）１８がはりつけられている。
【００１６】
コントローラ５（内部にＣＰＵ、メモリ等を有している）は、シャッタボタン１０、仰角入力ボタン１１、俯角入力ボタン１２、メモリ情報出力指示ボタン１３、キーボード１４等を備えている。また、ＧＰＳ機能を有している。
【００１７】
このコントローラ５は、デジタルカメラ３が撮影している撮影画像を画面６に表示し、シャッタボタン１０の押下でこの撮影画像に年月日、時刻、撮影位置をリンク付けしてメモリに記憶する。
【００１８】
また、仰角入力ボタン１１又は俯角入力ボタン１２が押されたときは、図２に示す仰角又は俯角選択表を表示し、いずれかの角度を撮影画像にリンク付けしてメモリに記憶する（決定ボタン：図示せず）。
【００１９】
図３は角度測定器７の斜視図である。図４は角度測定器の詳細説明図である。
【００２０】
なお、図４（ａ）は垂直指示バー９の正面図を示し、図４（ｂ）は透明角度検知板８の色と角度とを説明する説明図であり、図４（ｃ）は透明角度検知板８の正面図である。また、図５は角度測定器７の分解図である。図６は角度測定器の支持部材の詳細図である。
【００２１】
図３、図４及び図５に示すように、角度測定器７は、回動自在な垂直指示バー９（透明アクリル板）と、固定されて用いられる透明角度検知板８と、水平板１７等からなり、透明角度検知板８は支持部材１９、２０によって挟持され、この支持部材１９、２０の上面１９ａ、２０ａが水平板１７に固着されている。水平板１７の上面にはマジックテープ（登録商標）１７ａがはりつけられている。
【００２２】
前述の垂直指示バー９の中央には図４（ａ）に示すように、水平線９ａが設けられ、垂直指示バー９と透明角度検知板８とを平板１７に支持部材１６、１９で取り付けたときに、この水平線９ａと透明角度検知板８の０度ラインに一致するように取り付けられる。
【００２３】
また、垂直指示バー９は、上部の両端に突起棒９０ａ、９０ｂを備え、この突起棒９０ｂの下部に凹状の欠け部９０ｃを有している。そして、この欠け部９０ｃに突起棒９０ｄを設けている。
【００２４】
透明角度検知板８は、図４（ｂ）及び図５に示すように、上部に丸状の突起棒８０ａ、８０ｂが設けられており、さらに突起棒８０ｂの下にも同様な丸状の突起棒８０ｃが設けられている。
【００２５】
また、透明角度検知板８は、図４（ｂ）に示ように、中央部に水平線の０度のラインがあり、これから所定間隔で上側に黄色部８ａ、ピンク色部８ｂ、緑色部８ｃが形成されている。また、下方は青色８ｄ、紫色部８ｅ、黄緑部８ｆが形成されている。
【００２６】
黄色部８ａは−３度の領域を示し、ピンク色部８ｂは−５度の領域を示し、緑色部８ｃは−８度の領域を示す。また、青色８ｄは＋３度の領域を示し、紫色部８ｅは−５度の利用域を示し、黄緑部８ｆは＋８度の領域を示す。
【００２７】
これらの領域は、角度によって幅が相違する。プラマイ３度の領域は、水平方向を投影するものであるから最も幅が大きい。他は角度によって異なる。本実施の形態の透明角度検知板８は鉛直方向が＋角度（仰角）を示す。
【００２８】
そして、図４（ｃ）に示すように、垂直指示バー９と透明角度検知板８とは平行に隣り合って平板１７に取り付けられている。
【００２９】
また、水平板１７の上面には図３に示すように、マジックテープ（登録商標）１７ａが貼り付けられている。さらに、水平板１７の両端にはネジ穴２１ａ、２１ｂが設けられている。このネジ穴２１ａ、２１ｂを利用してネジとナットでヘルメットのつばに水平に固定できる。
【００３０】
そして、図５に示すように、透明角度検知板８の突起棒８０ａ、８０ｂが支持部材１９の貫通穴１９ｄ、支持部材２０の貫通穴２０ｄに挿入され、突起棒８０ｃが凹状の引掛け部２０ｃにはめられて、透明角度検知板８が鉛直方向に固定される。
【００３１】
一方、垂直指示バー９を挟持する支持部材１９は図５及び図６（ａ）に示すように、Ｋで示している線の個所は存在しない。すなわち、一般にはＫの形状を支持部材１９が有するように形成されて固定するように形成されるが、本実施の形態ではＫの部分を形成されないので、垂直指示バー９の突起棒９０ａが支持部材１９の貫通穴１９ｄに、突起棒９０ｂが支持部材１９の貫通穴１９ｄにはめ込まれて使用されると（図６（ｂ）参照）、垂直指示バー９は常にフリーの状態にあることになる。
【００３２】
そして、支持部材１９は図５及び図６（ａ）（ｂ）に示すように引掛け部１９ｂを有しているので、垂直指示バー９を上げるとこの引掛け部１９ｂに突起棒９０ｃがはめ込まれて、垂直指示バー９がほぼ水平に固定できる。
【００３３】
また、透明角度検知板８を支持する支持部材２０にも引掛け部２０ｂを有しており、透明角度検知板８を上げると突起棒８０ｃに透明角度検知板８の突起棒８０ｃがはめ込まれる。
【００３４】
従って、図７に示すように垂直指示バー９と透明角度検知板８とはほぼ水平に固定される。
【００３５】
これは、ヘルメットに取り付けられたときに、本実施の形態の角度測定器を使用しないときは、垂直指示バー９と透明角度検知板８とを上げると目の正面にこないように、水平に固定されることになる。
【００３６】
（使用方法）
次に、本実施の形態の角度検知器の使用方法を図８を用いて以下に説明する。
【００３７】
図８に示すように、崖の上の樹木頂点の高さを計測する場合は、垂直指示バー９と透明角度検知板８と縦方向に平行になるようにする。つまり、頭を動かして両方が鉛直方向に垂直になるようにする。垂直になったかどうかは、垂直指示バー９の水平ライン９ａと透明角度検知板８の０度ラインと目で見ながら一致するように頭を動かす。
【００３８】
この状態で０度ラインにある対象物Ｋｉを見て、その対象物Ｋｉが何かを覚えておく（例えば、大きな岩、樹木等）。
【００３９】
次に、図９に示すように、頭を動かして目線を真っ直ぐにして崖の上の目標物Ｇｉを見る。このとき、目標物Ｇｉは例えば黄色（−３度）に収まっているとする。図９においては、対象物Ｋｉは目線中心にないことを示すために点線で示している。
【００４０】
そして、図１０に示すように、この状態で図８で覚えている対象物Ｋｉ（頭は動かさない）を見る（図１１参照）。このとき透明角度板の黄緑色の領域に目標物が透過して見えたとすると、その黄緑色（−８度）の領域が作業員からみたときの対象物Ｇｉの仰角である。
【００４１】
従って、作業員は目標物Ｇｉまでの水平距離がわかっている場合は、この仰角から作業員からの高さが推定できる。逆に、目標物の高さが分っている場合は、この仰角で距離がわかることになる。
【００４２】
そして、例えば仰角を検知した場合に、目標物をカメラ３で撮影して、これを画面６に表示させる。そして、仰角選表を表示させて仰角を選択する。また、仰角から判断した高さ、距離を入力する（キーボード）。
【００４３】
図１２においては、画像の上に年月日、時刻、緯度経度が表示される。そして、これらの情報の後に仰角、又は俯角、高さ又は距離を入力する。
【００４４】
また、本実施の形態の測定器を用いて、野鳥（たか、熊鷹等）の撮影し、そのときの仰角、俯角、高さ、距離などを入力した写真を得てもよい。
【００４５】
＜実施の形態２＞
図１２は実施の形態２のゴルフ帽子に使用する角度測定器の斜視図である。なお、カメラ、コントローラ等は省略する。
【００４６】
本実施の形態２の角度測定器３５は、図１２に示すように、ゴルフ帽子１ｂの鍔にマジックテープ（登録商標）１８を取り付けて用いる。
【００４７】
そして、角度測定器３５は、ある程度の厚みを有するゴム部材２５ｂの上にマジックテープ（登録商標）２５ａを貼り付けた軟状平板２５と、ある程度の厚みのある平板（アクリル）２６と、平板２７とゴム部材２５ｂに埋め込まれたネジ２８（２８ａ、２８ｂ）と、ダイヤルネジ２９（２９ａ、２９ｂ）と、図５と同様な支持部材１６、１９、２０と、垂直指示バー９と、透明角度検知板８とを備えている。
【００４８】
前述のネジ２８ａ，２８ｂは中央から巻き目を逆方向にしている。
【００４９】
すなわち、実施の形態２はゴルフ帽子１ｂのような鍔が水平でない場合に、軟状平板２５が曲がるので、鍔の形状に合わせて取り付けできる。また、ダイヤルネジ２９ａ、２９ｂを調整すると、角度を調整できることになる。
【００５０】
＜実施の形態３＞
図１３は実施の形態３の角度測定器３０の斜視図である。実施の形態３は、マジックテープ（登録商標）を使用しないものである。これは、ヘルメットの鍔が小さい場合に有効である。
【００５１】
図１３に示すように、ヘルメットに取り付け可能なＬ型状のブラケット３１をネジ３２ａ、３２ｂによって取り付ける。また、Ｌ型状のブラケット３１の先端部は目線に対して直角になるように耳側の側面が長くなっている。
【００５２】
このＬ型状のブラケット３１の先端部の下に支持部材１６、１９、２０、垂直支持バー９、透明角度検知板８を設けて計測する。
【００５３】
なお、上記実施の形態では透明角度検知板に割りつけられている。色は＋１０°、＋１５°、＋２０°、＋３０°、−１０°、−１５°、−２０°、−３０°に対応させてあってもよい。
【符号の説明】
【００５４】
１ａ  ヘルメット
７  角度測定器
８  透明角度検知板
９  垂直指示バー
１０  水平板
１２  支持部材
１３  支持部材
【図１】
2010181337.tif 000003
【図２】
2010181337.tif 000004
【図３】
2010181337.tif 000005
【図４】
2010181337.tif 000006
【図５】
2010181337.tif 000007
【図６】
2010181337.tif 000008
【図７】
2010181337.tif 000009
【図８】
2010181337.tif 000010
【図９】
2010181337.tif 000011
【図１０】
2010181337.tif 000012
【図１１】
2010181337.tif 000013
【図１２】
2010181337.tif 000014
【図１３】
2010181337.tif 000015
【図１４】
2010181337.tif 000016